(57)【特許請求の範囲】
【請求項１】
浴室の壁面に設けられ、浴槽の跨ぎ込み部分をまたがるように間隔をおいて配置された少なくとも２個の水噴出ノズルおよび少なくとも２個の洗剤噴出ノズルを具備し、前記水噴出ノズルおよび洗剤噴出ノズルは、それぞれ前記跨ぎ込み部分と平行なライン状に水および洗剤を噴出する噴出部を有するとともに、軸線のまわりを回るようにモーターを介して回転するように構成されており、さらに前記水噴出ノズルおよび洗剤噴出ノズルの水流入側および洗剤流入側は、前記噴出部の噴出方向が所定の上方位置まで回転変位している間、水供給系および洗剤供給系に連通するように設定した浴室の洗浄装置。
【請求項２】
水噴出ノズルおよび洗剤噴出ノズルを回転するモーターの回転速度を変化させることにより、それら水噴出ノズルおよび洗剤噴出ノズルからの水および洗剤の噴出量を回転位置により変化させるようにした請求項１記載の浴室の洗浄装置。
【発明の詳細な説明】
【０００１】
【発明の属する技術分野】
本発明は、浴室の洗浄装置に関するものである。
【０００２】
【従来の技術】
従来のこの種の浴室の洗浄装置は実開平７−２７４６３号公報に示すようなものが一般的であった。
【０００３】
図１３に従来の浴室洗浄装置の構造を示しており、噴出ノズル１と噴出制御手段２とを有して、洗剤や洗浄水を噴出ノズルより噴出して浴室内を洗浄するように構成されていた。
【０００４】
【発明が解決しようとする課題】
上記のような構成では、洗剤を浴室内に噴出し、その後水を散布しても隅々まで洗剤を行き渡らせることが出来ない場合があったり、水の力でも十分に汚れを落とせない場合があった。
【０００５】
【課題を解決するための手段】
本発明は上記課題を解決するために、浴室の壁面に設けられ、浴槽の跨ぎ込み部分をまたがるように間隔をおいて配置された少なくとも２個の水噴出ノズルおよび少なくとも２個の洗剤噴出ノズルを具備し、前記水噴出ノズルおよび洗剤噴出ノズルは、それぞれ前記跨ぎ込み部分と平行なライン状に水および洗剤を噴出する噴出部を有するとともに、軸線のまわりを回るようにモーターを介して回転するように構成されており、さらに前記水噴出ノズルおよび洗剤噴出ノズルの水流入側および洗剤流入側は、前記噴出部の噴出方向が所定の上方位置まで回転変位している間、水供給系および洗剤供給系に連通するように設定したしたものである。
【０００６】
上記発明によれば、ライン状の噴流のために全体に広く噴出するものに比較して噴流の到達距離が大きく洗剤が隅々まで行き渡り、かつノズル部分が変位する構成であるため、万遍なく洗剤を散布することができるものである。また、水の場合は上記に加えて、噴流の力が強いため、こびりついた汚れでも水の力で洗い落とすことが出来、汚れを確実に取り去ることが可能になるものである。
【０００７】
【発明の実施の形態】
本発明の浴室の洗浄装置は、浴室の壁面に設けられ、浴槽の跨ぎ込み部分をまたがるように間隔をおいて配置された少なくとも２個の水噴出ノズルおよび少なくとも２個の洗剤噴出ノズルを具備し、前記水噴出ノズルおよび洗剤噴出ノズルは、それぞれ前記跨ぎ込み部分と平行なライン状に水および洗剤を噴出する噴出部を有するとともに、軸線のまわりを回るようにモーターを介して回転するように構成されており、さらに前記水噴出ノズルおよび洗剤噴出ノズルの水流入側および洗剤流入側は、前記噴出部の噴出方向が所定の上方位置まで回転変位している間、水供給系および洗剤供給系に連通するように設定した。
【０００８】
したがって、ライン状の噴流のために全体に広く噴出するものに比較して噴流の到達距離が大きく洗剤が隅々まで行き渡り、かつノズル部分が変位する構成であるため、万遍なく洗剤を散布することができるものである。加えて、水の場合は上記に加えて、噴流の力が強いため、こびりついた汚れでも水の力で洗い落とすことが出来、汚れを確実に取り去ることが可能になるものである。
【０００９】
そして、水噴出ノズルおよび洗剤噴出ノズルを回転するモーターの回転速度を変化させることにより、それら水噴出ノズルおよび洗剤噴出ノズルからの水および洗剤の噴出量を回転位置により変化させるようにした。
【００１０】
そのため、汚れのひどい部分を重点的に時間をかけて洗浄できるため、確実な洗浄効果を奏するものである。
【００１１】
以下、本発明の実施例について、図面を参照して説明する。
【００１２】
（実施例１）
図１〜３において、浴室３は入浴するための空間であり、主として浴槽４、洗い場５、壁６、天井７、扉８から構成されている。水の噴出ノズル９は、浴槽の跨ぎ込み部分１０の両方の立ち面１１、１２を洗浄可能なように２個を浴槽の跨ぎ込み部分１０にまたがって、間隔をとって配置されている。同様に洗剤の噴出ノズル１３も浴槽の跨ぎ込み部分１０にまたがって、間隔をとって配置されている。
【００１３】
また、水噴出ノズル９および洗剤噴出ノズル１３は、ライン状（扁平状）に水および洗剤を噴出する構成であるとともに、水および洗剤が浴室全体に行き渡るようにノズル部分９ａ、１３ａが回転する構成としたものである。
【００１４】
１４，２２は水または洗剤をライン状に噴出する各噴出ノズル９，１３の噴出部、１５はそれらの回転部、１６は支持部、１７は各回転部１７の回転駆動源であるモーターである。ここで、各噴出ノズル９，１３のノズル部９ａ、１３ａはネジ１５ａによって回転部１５に固定してある。１８は水の入口、１９は中継ホース、２０は継ぎ手、２１は入口ホース、２２はライン状に洗剤を噴出する噴出部、２３は洗剤の入口、２４は洗剤の中継ホースである。２５は電磁弁、２６はポンプ、２７はモーター１７、電磁弁２５、ポンプ２６等を制御する制御部である。
【００１５】
次に動作について説明すると、電磁弁２５を開いて水を噴出すると、図４に示すように水はライン状に水の噴出ノズル９より噴出する。そして、モータ１７を作動させると、回転部１５が支持部１６の中を同軸に回転する。
【００１６】
また、水の噴出ノズル９も同時に回転し、水の入口１８より入った流れは噴出部１４よりライン状に噴出しながら回転し、図５に示すように床や壁面を順次洗浄していく。
【００１７】
また、図６に示すように向かって右側の噴出ノズル９からも同様に水を噴出することにより、跨ぎ込みの部分１１、１２もほぼ確実に洗浄することが可能になる。洗剤についても、図７のように床や壁面に順次洗剤を散布して、左右両方のノズルより噴出することにより、ほぼ全面に散布することが可能となる。
【００１８】
図８には水の噴出ノズル９よりの水の噴出状態の側面より見た状態を示す。図のように側面方向には水がほぼ全体に行き渡っている状態がわかる。
【００１９】
以上のようにライン状の噴流のために全体に広く噴出するものに比較して噴流の到達距離が大きいため水および洗剤が隅々まで行き渡り、かつノズル部分９ａが回転または移動する構成であるため、万遍なく洗剤および水を散布することができるものである。
【００２０】
また、水の場合は上記に加えて、噴流の力が強いため、こびりついた汚れでも水の力で洗い落とすことが出来、汚れをほぼ完全に取り去ることが可能になるものである。
【００２１】
（実施例２）
図９に図３の回転部１５近傍の拡大正面断面を示す。図のように、回転部１５の開口部２８が一部分しか開放しないようにし、入口部１８と開口部２８とが一致した場合のみ流れが通過するようにし、このときにノズル９の散水方向が下を向くようにしている。
【００２２】
そして、開口部２８の開口範囲を変えることにより散水の範囲を変えることが可能である。この結果、ノズル９の方向が照明よりも上方を向いた場合は噴出を停止する構成とすることができるものである。
【００２３】
このように、天井や照明に水や洗剤が当たることによる照明ケースの劣化や、天井に水滴がついて乾燥が遅れる等の問題を生じさせないようにできるものである。
【００２４】
（実施例３）
また、図１０に示すように、ノズル９，１３はネジ１５ａを外してノズル部９ａ，１３ａを取外し、噴出部１４，２２が上向きになるようにして回転部１５に取付け換えることができるようになっている。
【００２５】
したがって、水および洗剤の噴出方向が照明よりも上方を向いたときにノズルの切り替えにより水および洗剤を噴出させることができる。この結果、天井の汚れが目立ってきた場合に、噴出部９ａ，１３ａの方向を変えることにより、天井のみの洗浄も可能となるものである。
【００２６】
（実施例４）
また、図１１に示すように汚れの大きい部分（浴槽の喫水線等）を特定して洗剤および水の噴出時間を長くする制御構成とすることにより、必要な部分のみを十分に洗浄し、洗剤や水の節約をできるようにすることもできる。
【００２７】
図１２に制御部２７に組込まれているモーター１７の制御フローを示す。図のようにモーター１７を所定の角度回転させて汚れの大きい部分に洗剤および水の噴出方向が来た場合に、モーター１７を停止し、汚れが取れるまでの所定の時間停止することにより汚れを十分に取り去る。
【００２８】
そして、他の汚れの大きい部分に対応して同様の動きをすることにより、上記の効果が得られるものである。
【００２９】
また、上記制御部２７は、水を噴出した後洗剤を噴出し、所定の時間経過した後、再度水を噴出する構成としてある。そして最初に水噴出ノズル９により噴出された水により入浴後に残った泡等を洗い流し、つぎに洗剤噴出ノズル１３より出た洗剤により浴槽等にこびりついた石けんカスのような汚れを溶かし、所定の時間経過して汚れが溶けた時点で再度水を噴出することにより浴室の汚れを確実に取り去るというものである。
【００３０】
前記した各実施例の特長を今一度まとめて述べれば以下の通りとなる。
【００３１】
（１）水噴出ノズルおよび洗剤噴出ノズルをライン状に水および洗剤を噴出する構成にするとともに、ノズル部分が回転または移動する構成としたことにより、ライン状の噴流のために全体に広く噴出するものに比較して噴流の到達距離が大きく洗剤が隅々まで行き渡り、かつノズル部分が変位する構成であるため、万遍なく水や洗剤を散布することができるものである。また、水の場合は上記に加えて、噴流の力が強いため、こびりついた汚れでも水の力で洗い落とすことが出来、汚れをほぼ完全に取り去ることが可能になる。
【００３２】
（２）水および洗剤の噴出方向が照明よりも上方を向いた場合は噴出を停止する構成としたことにより、天井や照明に水や洗剤が当たることによる照明ケースの劣化や、天井に水滴がついて乾燥が遅れる等の問題を生じさせないようにできる。
【００３３】
（３）水および洗剤の噴出方向が照明よりも上方を向いた場合は噴出を停止し、または水および洗剤の噴出方向が照明よりも上方を向いたときに水および洗剤を噴出させるように切換え可能な構成としたことにより、天井の汚れが目立ってきた場合に、ノズルの方向を変えることにより、天井の自動洗浄も可能になる。
【００３４】
（４）汚れの大きい部分を特定して洗剤および水の噴出時間を長くする構成としたことにより、必要な部分のみを十分に洗浄できるため、洗剤や水の節約になる。
【００３５】
（５）水を噴出した後洗剤を噴出し、所定の時間経過した後、再度水を噴出する構成としたことにより、最初に水噴出ノズルにより噴出された水により入浴後に残った泡等を洗い流し、つぎに洗剤噴出ノズルより出た洗剤により浴槽等にこびりついた石けんカスのような汚れを溶かし、所定の時間経過して汚れが溶けた時点で再度水を噴出することにより浴室の汚れをほぼ完全に取り去ることができる。
【００３６】
【発明の効果】
以上のように本発明の浴室の洗浄装置によれば、浴室の汚れを確実に取り去ることが可能で、しかも、天井や照明に水や洗剤が当たることによる照明ケースの劣化や、天井に水滴がついて乾燥が遅れる問題を生じさせないなど、優れた効果を奏するものである。
【図面の簡単な説明】
【図１】  本発明の実施例１の浴室の洗浄装置の斜視図
【図２】  同装置の正面断面図
【図３】  同装置の噴出ノズル近傍を示す拡大側面断面図
【図４】  同装置の水の噴出状態を示す斜視図
【図５】  同装置の水の噴出状態を示す正面断面図
【図６】  同装置の水の噴出状態を示す正面断面図
【図７】  同装置の洗剤の噴出状態を示す正面断面図
【図８】  同装置の水の噴出状態を示す側面断面図
【図９】  同実施例２の噴出ノズル近傍を示す拡大正面断面図
【図１０】  同実施例３の噴出ノズル近傍を示す拡大側面断面図
【図１１】  同実施例４の水の噴出状態を示す斜視図
【図１２】  同モータの制御を表すフローチャート
【図１３】  従来の浴室の洗浄装置を示す正面断面図
【符号の説明】
３  浴室
９  水噴出ノズル
９ａ  ノズル部分
１０  浴槽の跨ぎ込み部分
１３  洗剤噴出ノズル
２７  制御部
【図１】
0003964949.tif 000002
【図２】
0003964949.tif 000003
【図３】
0003964949.tif 000004
【図４】
0003964949.tif 000005
【図５】
0003964949.tif 000006
【図６】
0003964949.tif 000007
【図７】
0003964949.tif 000008
【図８】
0003964949.tif 000009
【図９】
0003964949.tif 000010
【図１０】
0003964949.tif 000011
【図１１】
0003964949.tif 000012
【図１２】
0003964949.tif 000013
【図１３】
0003964949.tif 000014